(57)【要約】【課題】導電路の種類に関わりなく対応することができるドラムを提供する。【解決手段】ドラム１は、導電路が巻回される巻胴部２と、巻胴部２の軸方向における両端に設けられる鍔部３とを備える。一方の鍔部３ａは、導電路の一端を挿通可能に形成された巻始口１３と、導電路が巻始口１３から外側に飛び出すのを防止する飛び出し防止手段２０とを有する。飛び出し防止手段２０は、巻始口１３に着脱自在に設けられる。【選択図】図１
2019167217.tif 000002
【特許請求の範囲】
【請求項１】
導電路が巻回される巻胴部と、該巻胴部の軸方向における両端に設けられ且つ前記巻胴部と同心円状の外周が形成された一対の鍔部と、を備え、
前記一対の鍔部のうちのいずれか一方の鍔部は、
前記巻胴部に巻回する前記導電路の一端を挿通可能に形成された巻始口と、該巻始口に設けられ且つ前記導電路が前記巻始口から外側に飛び出すのを防止する飛び出し防止手段と、を有し、
該飛び出し防止手段は、
前記巻始口に着脱自在に設けられる
ことを特徴とするドラム。
【請求項２】
請求項１に記載のドラムにおいて、
前記巻始口には、
前記鍔部の周方向に沿った一対の縁部それぞれに前記鍔部の周方向に沿って延在し且つ前記巻胴部の軸方向に延在するように形成される板部が設けられ、
該各板部には、
それぞれの中心が同軸上に配置されるように貫通形成された挿通孔が設けられ、
前記飛び出し防止手段は、
飛び出し防止部材と、固定部材と、から構成され、
前記飛び出し防止部材は、
前記各板部の前記挿通孔に挿通可能に形成され、
前記固定部材は、
前記各板部の前記挿通孔に挿通した状態の前記飛び出し防止部材と締結可能に設けられ且つ該飛び出し部材と締結した状態にて該飛び出し防止部材を前記各板部に固定可能に設けられる
ことを特徴とするドラム。
【請求項３】
請求項１に記載のドラムにおいて、
前記巻始口には、
前記鍔部の周方向に沿った一対の縁部それぞれに前記鍔部の周方向に沿って延在し且つ前記巻胴部の軸方向に延在するように形成される板部が設けられ、
該各板部には、
それぞれの中心が同軸上に配置されるように貫通形成された挿通孔が設けられ、
前記飛び出し防止手段は、
飛び出し防止部材と、第一固定部材と、第二固定部材と、から構成され、
前記飛び出し防止部材は、
前記各板部間の間隔に合うような柱状に形成され且つ前記各板部の前記挿通孔それぞれの中心と同軸となるような中心軸を有する挿通孔が設けられ、
前記第一固定部材は、
前記各板部の前記挿通孔と前記飛び出し防止部材の前記挿通孔とに挿通可能に形成され、
前記第二固定部材は、
前記各板部の前記挿通孔と前記飛び出し防止部材の前記挿通孔とに挿通した状態の前記第一固定部材と締結可能に設けられ且つ該第一固定部材と締結した状態にて前記飛び出し防止部材を前記各板部に固定可能に設けられる
ことを特徴とするドラム。
【請求項４】
請求項１、２又は３に記載のドラムにおいて、
前記飛び出し防止手段は、
前記巻始口が形成された前記鍔部の外側に着脱自在となるように設けられる
ことを特徴とするドラム。
【発明の詳細な説明】
【技術分野】
【０００１】
本発明は、導電路（電線又はケーブル）を巻回するドラムに関する。
【背景技術】
【０００２】
従来、導電路（電線又はケーブル）を搬送するために導電路を巻回するドラムの技術としては、例えば、特許文献１に開示されているような技術が知られている。
【０００３】
特許文献１の図３に図示するように、ドラム（特許文献１においては「ケーブルドラム」という）の鍔部には、抜き孔（「巻始口」とも呼ばれる）が形成されている。
【０００４】
特許文献１において、例えば、ケーブルをドラムに巻回するには、特許文献１の図３に図示するように、作業者がケーブルの一端を、鍔部の抜き孔の内側から外側へ挿通し、ケーブルの一端を鍔部に固定することにより行うことができる。
【先行技術文献】
【特許文献】
【０００５】
【特許文献１】特開２００１−３５４３６２号公報
【発明の概要】
【発明が解決しようとする課題】
【０００６】
従来技術では、例えば、図５及び図６に図示するドラム１００ように、鍔部１０１の巻始口１０２に丸棒状の飛び出し防止部１０３が複数（図５及び図６においては２本）設けられているものと、図７に図示するドラム２００のように、鍔部２０１の巻始口２０２に図５及び図６に図示するような飛び出し防止部が設けられていないものとがあった。
【０００７】
図５及び図６に図示するドラム１００は、細物の導電路（例えば、細物電線、ケーブル）を巻回するために用いられている。図５に図示するように、飛び出し防止部１０３は、細物の導電路をドラム１００に巻回した状態において、上記導電路が巻始口１０２から飛び出すのを防止するため、巻始口１０２における鍔部１０１の周方向に沿った一対の縁部１０４、１０５を繋ぐように設けられている。飛び出し防止部１０３は、この軸方向の一端が一方の縁部１０４に溶接されるとともに、軸方向の他端が縁部１０５に溶接されることにより、鍔部１０１と一体となるように設けられている。
【０００８】
図７に図示するドラム２００は、太物の導電路（例えば、太物のケーブル）を巻回するために用いられている。ドラム２００は、太物の導電路を巻回した状態において、上記導電路が巻始口２０２から飛び出す虞がないため、図５及び図６に図示するような飛び出し防止部が設けられていない。
【０００９】
ところで、従来技術では、飛び出し防止部が設けられていないドラム２００を用いた場合、つぎのような問題点があった。すなわち、ドラム２００に、例えば、細物の導電路を巻回した後、必要な分を引き出しては切断し、また、巻き戻す作業を繰り返すことや、その後、ドラム２００を転がして搬送することで、緩んだ上記導電路が巻始口から出てくる現象が生じる。このように巻始口から出てきた導電路を無理に引き出すと導電路が損傷し不具合が生じる虞があるという問題点があった。
【００１０】
上記問題点に対応するために、飛び出し防止部１０３が設けられたドラム１００を用いることが考えられる。しかしながら、ドラム１００では、太物の導電路に用いる場合や、電気試験のため巻始口１０２から導電路を出しておきたい場合、飛び出し防止部１０３が邪魔であるため使用することができないとう問題点があった。
【００１１】
さらに、上記２つの問題点に対応するために、従来では、２種類の構造のドラム１００、２００を所有する必要があったことから、ドラムの製造コストや管理コストが嵩んでしまうという問題点があった。
【００１２】
本発明は、上記した事情に鑑みてなされたもので、導電路の種類に関わりなく対応することができるドラムを提供することを課題とする。
【課題を解決するための手段】
【００１３】
上記課題を解決するためになされた請求項１記載の本発明のドラムは、導電路が巻回される巻胴部と、該巻胴部の軸方向における両端に設けられ且つ前記巻胴部と同心円状の外周が形成された一対の鍔部と、を備え、前記一対の鍔部のうちのいずれか一方の鍔部は、前記巻胴部に巻回する前記導電路の一端を挿通可能に形成された巻始口と、該巻始口に設けられ且つ前記導電路が前記巻始口から外側に飛び出すのを防止する飛び出し防止手段と、を有し、該飛び出し防止手段は、前記巻始口に着脱自在に設けられることを特徴とする。
【００１４】
このような特徴を有する本発明によれば、飛び出し防止手段が巻始口に着脱自在になることにより、例えば、細物の導電路に使用する場合は、あらかじめ、飛び出し防止手段を巻始口に取り付けた状態で使用し、太物の導電路に使用する場合は、飛び出し防止手段を取り外した状態で使用することができ、また、電気試験を行う場合は、まず、飛び出し防止手段を取り外した状態で使用し、電気試験後、導電路の端末部を切断した後に飛び出し防止手段を巻始口に取り付けることができる。
【００１５】
請求項２記載の本発明のドラムは、請求項１に記載のドラムにおいて、前記巻始口には、前記鍔部の周方向に沿った一対の縁部それぞれに前記鍔部の周方向に沿って延在し且つ前記巻胴部の軸方向に延在するように形成される板部が設けられ、該各板部には、それぞれの中心が同軸上に配置されるように貫通形成された挿通孔が設けられ、前記飛び出し防止手段は、飛び出し防止部材と、固定部材と、から構成され、前記飛び出し防止部材は、前記各板部の前記挿通孔に挿通可能に形成され、前記固定部材は、前記各板部の前記挿通孔に挿通した状態の前記飛び出し防止部材と締結可能に設けられ且つ該飛び出し部材と締結した状態にて該飛び出し防止部材を前記各板部に固定可能に設けられることを特徴とする。
【００１６】
このような特徴を有する本発明によれば、各板部の挿通孔に挿通した状態の飛び出し防止部材と固定部材とが締結可能であり且つ飛び出し部材と固定部材とが締結した状態にて飛び出し防止部材が各板部に固定されることにより、例えば、細物の導電路に使用する場合は、あらかじめ、飛び出し防止部材を各板部に取り付けた状態で使用し、太物の導電路に使用する場合は、飛び出し防止部材を取り外した状態で使用することができ、また、電気試験を行う場合は、まず、飛び出し防止部材を取り外した状態で使用し、電気試験後、導電路の端末部を切断した後に飛び出し防止手段を巻始口に取り付けることができる。
【００１７】
請求項３記載の本発明のドラムは、請求項１に記載のドラムにおいて、前記巻始口には、前記鍔部の周方向に沿った一対の縁部それぞれに前記鍔部の周方向に沿って延在し且つ前記巻胴部の軸方向に延在するように形成される板部が設けられ、該各板部には、それぞれの中心が同軸上に配置されるように貫通形成された挿通孔が設けられ、前記飛び出し防止手段は、飛び出し防止部材と、第一固定部材と、第二固定部材と、から構成され、前記飛び出し防止部材は、前記各板部間の間隔に合うような柱状に形成され且つ前記各板部の前記挿通孔それぞれの中心と同軸となるような中心軸を有する挿通孔が設けられ、前記第一固定部材は、前記各板部の前記挿通孔と前記飛び出し防止部材の前記挿通孔とに挿通可能に形成され、前記第二固定部材は、前記各板部の前記挿通孔と前記飛び出し防止部材の前記挿通孔とに挿通した状態の前記第一固定部材と締結可能に設けられ且つ該第一固定部材と締結した状態にて前記飛び出し防止部材を前記各板部に固定可能に設けられることを特徴とする。
【００１８】
このような特徴を有する本発明によれば、各板部の挿通孔と飛び出し防止部材の挿通孔とに挿通した状態の第一固定部材と第二固定部材とが締結可能であり且つ第一固定部材と第二固定部材とが締結した状態にて飛び出し防止部材が各板部に固定されることにより、例えば、細物の導電路に使用する場合は、あらかじめ、飛び出し防止部材を各板部に取り付けた状態で使用し、太物の導電路に使用する場合は、飛び出し防止部材を取り外した状態で使用することができ、また、電気試験を行う場合は、まず、飛び出し防止部材を取り外した状態で使用し、電気試験後、導電路の端末部を切断した後に飛び出し防止手段を巻始口に取り付けることができる。
【００１９】
請求項４記載の本発明のドラムは、請求項１、２又は３に記載のドラムにおいて、前記飛び出し防止手段は、前記巻始口が形成された前記鍔部の外側に着脱自在となるように設けられることを特徴とする。
【００２０】
このような特徴を有する本発明によれば、飛び出し防止手段が鍔部の外側に着脱自在になることにより、鍔部の外側から飛び出し防止手段の着脱作業を行うことができる。
【発明の効果】
【００２１】
本発明によれば、巻始口からの導電路の飛び出しを防止したい場合や、太物の導電路に使用する場合や、電気試験のため巻始口から導電路を出しておきたいような場合にも対応することができることから、導電路の種類に関わりなく対応することができるという効果を奏する。また、本発明によれば、導電路の種類に関わりなく対応することができ、各種の導電路に１種類のドラムで対応することができることから、１種類の構造のドラムのみ所有すれば良いため、ドラムの製造コストや管理コストを従来よりも低減することができるという効果を奏する。また、本発明によれば、鍔部の外側から飛び出し防止手段の着脱作業を行うことができることから、着脱作業が行い易くなるという効果を奏する。
【図面の簡単な説明】
【００２２】
【図１】本発明のドラムの実施例１を示す図であって、（ａ）はドラムの側面図、（ｂ）は（ａ）に図示する仮想線Ａの取り囲む部分の拡大図である。
【図２】図１（ｂ）におけるＢ−Ｂ間の断面図である。
【図３】本発明のドラムの実施例２を示す図であって、（ａ）はドラムの側面図、（ｂ）は（ａ）に図示する仮想線Ｃの取り囲む部分の拡大図である。
【図４】図３（ｂ）におけるＤ−Ｄ間の断面図である。
【図５】本発明の課題を説明するための図であって、飛び出し防止部を設けたドラムを示す側面図である。
【図６】図５におけるＥ−Ｅ間の断面図である。
【図７】本発明の課題を説明するための図であって、飛び出し防止部を設けていないドラムを示す側面図である。
【発明を実施するための形態】
【００２３】
以下、図１及び図２を参照しながら、本発明に係るドラムの実施例１について、また、図３及び図４を参照しながら、本発明に係るドラムの実施例２について、それぞれ、説明する。
【実施例１】
【００２４】
図１は本発明のドラムの実施例１を示す図であって、（ａ）はドラムの側面図、（ｂ）は（ａ）に図示する仮想線Ａの取り囲む部分の拡大図、図２は図１（ｂ）におけるＢ−Ｂ間の断面図である。
【００２５】
図１において、引用符号１は、本発明に係るドラムの実施例１を示している。ドラム１は、図示しない導電路（長尺で重量のある電線又はケーブル）の巻き取り、搬送に利用される鉄製のドラムである。ドラム１は、巻胴部２と、一対の鍔部３と、飛び出し防止手段２０とを備えている。以下、ドラム１の各構成について説明する。
【００２６】
まず、巻胴部２について説明する。
巻胴部２は、その外周面に導電路が巻回される部分である。巻胴部２は、図１に図示するように、円筒状に形成され、巻胴部本体４と、開口部５と、スパイダ６とを備えている。
【００２７】
巻胴部本体４は、円筒状に形成されている。開口部５は、巻胴部本体４の軸方向における両端に形成されている。スパイダ６は、開口部５に設けられている。スパイダ６は、支柱７と、軸穴８とを備えている。支柱７は、軸穴８から放射状に延在し、この先端が巻胴部本体４の内周面に溶接等により接合されている。軸穴２２ｂは、巻胴部２の軸方向に貫通する貫通孔であり、図示しない軸棒が挿入される部分である。
【００２８】
つぎに、一対の鍔部３について説明する。
一対の鍔部３は、巻胴部２の外周面に巻回される導電路を軸方向からガイドする部分である。鍔部３は、巻胴部２（巻胴部本体４）の軸方向における両端に設けられている。鍔部３は、図１に図示するように、外周部９と、環状波板１０とを備えている。
【００２９】
外周部９は、図１に図示するように、鍔部３の外周を構成し、ドラム１が縦置きにされた際に地面や床、荷台等に接する部分である。外周部９は、鍔部３の軸方向の幅（鍔幅）と略同寸の幅を有する平板を巻胴部２（巻胴部本体４）と同心円状に形成したものであり、環状波板１０の外周に沿って溶接等により接合されている。
【００３０】
環状波板１０は、図２に図示するように一定の周期で凹凸状（又はコ字状）に形成された波板を内周側から外周側に放射状に延設したものである。環状波板１０は、図２に図示するように、鍔部３の外側に向かって、凸部１１と、凹部１２とが交互に形成されている。
【００３１】
ここで、上記のように、「鍔部の外側」という場合、鍔部３から見て、巻胴部２（巻胴部本体４）が設けられている側と巻胴部２の軸方向において反対側をいう。また、「鍔部の内側」という場合、鍔部３から見て、巻胴部２が設けられている側をいう。
【００３２】
一対の鍔部３のうち、いずれか一方の鍔部３ａは、図１に図示するように、巻始口１３を有している。巻始口１３は、導電路を巻胴部２（巻胴部本体４）に巻回するときに導電路の一端を鍔部３ａの内側から鍔部３ａの外側へ挿通させる部分である。巻始口１３は、巻胴部２に巻回する導電路の一端を挿通可能に形成されている。巻始口１３は、図１に図示するように、環状波板１０に貫通形成され鍔部３ａの周方向に沿って長尺となるように形成されている。
【００３３】
巻始口１３は、図１に図示するように、鍔部３ａの周方向に沿った一対の縁部１４のうち一方の縁部１４ａ（内側の縁部）に内側板部１６が設けられているとともに、他方の縁部１４ｂ（外側の縁部）に外側板部１７が設けられている。内側板部１６と外側板部１７とは、特許請求の範囲における「板部」に相当するものである。内側板部１６と外側板部１７とは、後述する飛び出し防止手段２０（飛び出し防止部材２１）が取り付けられる部分である。内側板部１６と外側板部１７とは、図１及び図２に図示するように、鍔部３ａの外側に設けられている。内側板部１６と外側板部１７とは、鍔部３の軸方向の幅（鍔幅）と略同寸の幅を有する平板を、鍔部３の周方向に沿って延在し且つ巻胴部２（巻胴部本体４）の軸方向に延在するように形成されている。
【００３４】
内側板部１６は、図１に図示するように、巻胴部本体４の軸方向の一端のうち巻始口１３の一対の縁部１４のうち一方の縁部１４ａを通過する部分に相当するものである。内側板部１６には、図１に図示するように、巻胴部本体４の周方向に並ぶように挿通孔１８が複数（本実施例においては２個）、貫通形成されている。
【００３５】
外側板部１７は、図１に図示するように、巻始口１３の他方の縁部１４ｂの周方向長さに合うように形成されている。外側板部１７は、他方の縁部１４ｂに溶接等により接合されている。外側板部１７には、図１に図示するように、他方の縁部１４ｂの周方向に並ぶように挿通孔１９が複数（本実施例においては２個）、貫通形成されている。挿通孔１９は、図２に図示するように、環状波板１０の凹部１２の位置と合うように形成されている。挿通孔１９は、図１に図示するように、この中心が、挿通孔１８の中心と同軸上に配置されるように形成されている。
【００３６】
つぎに、飛び出し防止手段２０について説明する。
飛び出し防止手段２０は、本発明の特徴的な部分であり、巻始口１３からの導電路の飛び出しを防止する部分である。以下、具体的に説明するが、飛び出し防止手段２０は、巻始口１３に着脱自在に設けられている。飛び出し防止手段２０は、本実施例においては、図１に図示するように、飛び出し防止部材２１と、固定部材２２とを備えている。
【００３７】
飛び出し防止部材２１は、飛び出し防止手段２０が導電路の上記飛び出しを防止するための主要な部材である。また、飛び出し防止部材２１は、巻始口１３における内側板部１６と外側板部１７とに着脱自在となる部材である。飛び出し防止部材２１は、図１に図示するように、ボルトのような形状を有している。飛び出し防止部材２１は、図１に図示するように、頭部２３と、軸部２４と、ネジ部２５とを備えている。
【００３８】
頭部２３は、図１に図示するように、飛び出し防止部材２１の軸方向の一端に形成され、ボルトの頭部のような形状を有している。軸部２４は、導電路が当接することにより巻始口１３からの導電路の飛び出しを防止する部分である。軸部２４は、図１に図示するように、飛び出し防止部材２１の軸方向の略中間部に形成され、ピン形状を有している。軸部２４と後述するネジ部２５は、内側板部１６の挿通孔１８と外側板部１７の挿通孔１９とに挿通可能に形成されている。軸部２４は、この外周面にネジが形成されておらず平面状に形成されている。このように、軸部２４の外周面が平面状に形成されていることから、軸部２４に導電路が接触しても導電路が損傷する虞がない。ネジ部２５は、図１に図示するように、飛び出し防止部材２１の軸方向の他端に形成され、この外周面がネジ状に形成されている。
【００３９】
固定部材２２は、図１に図示するように、ナット状の部材である。固定部材２２は、図１に図示するように、飛び出し防止部材２１のネジ部２５と締結する部分である。固定部材２２は、内側板部１６の挿通孔１８と外側板部１７の挿通孔１９とに挿通した状態の飛び出し防止部材２１のネジ部２５と締結可能に設けられている。固定部材２２は、図１に図示するように、飛び出し部材２１のネジ部２５と締結した状態にて飛び出し防止部材２１を内側板部１６と外側板部１７とに固定可能に設けられている。具体的には、固定部材２２は、図１に図示するように、外側板部１７の外周面上で且つ挿通孔１９の形成位置に配置されている。固定部材２２は、外側板部１７の外周面上に溶接等により接合されている。
【００４０】
つぎに、飛び出し防止手段２０の着脱作業の手順について説明する。
飛び出し防止部材２１を巻始口１３に取り付ける作業は、作業者が鍔部３（３ａ）の外側から行う。具体的には、まず、飛び出し防止部材２１をネジ部２５から内側板部１６の挿通孔１８と外側板部１７の挿通孔１９とに挿通する。しかる後、ネジ部２５と固定部材２２とを締結し、飛び出し防止部材２１を内側板部１６と外側板部１７とに固定する。以上により、飛び出し防止部材２１の取り付け作業が完了する。
【００４１】
飛び出し防止部材２１を巻始口１３から取り外す作業は、上記飛び出し防止部材２１の取り付け作業と同様、作業者が鍔部３（３ａ）の外側から行う。具体的には、まず、ネジ部２５と固定部材２２との締結を解除し、飛び出し防止部材２１が内側板部１６と外側板部１７とに固定された状態を解除する。しかる後、飛び出し防止部材２１を挿通孔１８、１９から抜出する。以上により、飛び出し防止部材２１の取り外し作業が完了する。
【００４２】
つぎに、ドラム１に細物の導電路を巻回したときの作用について説明する。
ドラム１に、細物の導電路（例えば、細物電線、ケーブル）を巻回する場合は、あらかじめ、飛び出し防止部材２１を巻始口１３に取り付けた状態にする。上記取り付けた状態にしておくことにより、飛び出し防止部材２１（軸部２４）に、上記導電路が当接し、巻始口１３からの導電路の飛び出しが防止される。
【００４３】
また、飛び出し防止部材２１における軸部２４の外周面が平面状に形成されているため、飛び出し防止部材２１（軸部２４）に、上記導電路が当接しても導電路が損傷する虞がない。
【００４４】
つぎに、ドラム１に太物の導電路を巻回したときの作用について説明する。
ドラム１に、太物の導電路（例えば、太物のケーブル）を巻回する場合は、あらかじめ、飛び出し防止部材２１を巻始口１３から取り外した状態にする。上記取り外した状態にしておくことにより、図７に図示する従来の飛び出し防止部が設けられていないドラム２００と同様に使用することができる。
【００４５】
つぎに、ドラム１に導電路を巻回した後、電気試験を行うときの作用について説明する。
電気試験を行う場合は、まず、飛び出し防止部材２１を巻始口１３から取り外した状態でドラム１に導電路を巻回する。電気試験後、導電路の端末部を切断した後に飛び出し防止部材２１を巻始口１３に取り付けた状態にする。上記取り付けた状態にすることにより、上記導電路が細物電線、ケーブルだった場合であっても、飛び出し防止部材２１（軸部２４）に、導電路が当接し、巻始口１３からの導電路の飛び出しを防止することができる。このように、電気試験後、導電路の端末部を切断した後に飛び出し防止部材２１を上記取り付けた状態にすることにより、従来では対応できなかった、電気試験のため巻始口から導電路を出しておきたいような場合にも対応することができる。
【００４６】
つぎに、本実施例に係るドラム１の効果について説明する。
以上、図１及び図２を参照しながら説明してきたように、本実施例に係るドラム１によれば、巻始口１３からの導電路の飛び出しを防止したい場合や、太物の導電路に使用する場合や、電気試験のため巻始口１３から導電路を出しておきたいような場合にも対応することができることから、導電路の種類に関わりなく対応することができるという効果を奏する。
【００４７】
また、本実施例に係るドラム１によれば、導電路の種類に関わりなく対応することができ、各種の導電路に１種類のドラム１で対応することができることから、１種類の構造のドラム１のみ所有すれば良いため、ドラム１の製造コストや管理コストを従来よりも低減することができるという効果を奏する。
【００４８】
さらに、本実施例に係るドラム１によれば、飛び出し防止手段２０が鍔部３（３ａ）の外側に着脱自在になることにより、鍔部３の外側から飛び出し防止手段２０の着脱作業を行うことができることから、着脱作業が行い易くなるという効果を奏する。
【実施例２】
【００４９】
本発明に係るドラムは、実施例１の他、下記の実施例２を用いてもよいものとする。以下、図３及び図４を参照しながら、実施例２について説明する。
【００５０】
図３は本発明のドラムの実施例２を示す図であって、（ａ）はドラムの側面図、（ｂ）は（ａ）に図示する仮想線Ｃの取り囲む部分の拡大図、図４は図３（ｂ）におけるＤ−Ｄ間の断面図である。
なお、実施例１と同一の構成部材には同一の符号を付して詳細な説明を省略する。
【００５１】
図３及び図４に図示するドラム３０は、飛び出し防止手段３１を備える点において実施例１と異なっている。飛び出し防止手段３１は、本実施例においては、図３に図示するように、飛び出し防止部材３２と、第一固定部材３３と、第二固定部材３４とを備えている。
【００５２】
飛び出し防止部材３２は、図３に図示するように、柱状の形状（本実施例においては、直方体形状）を有している。飛び出し防止部材３２は、本実施例においては、合成樹脂材料にて一体的に形成されている。飛び出し防止部材３２は、図３に図示するように、この軸方向の長さが内側板部１６と外側板部１７との間の間隔に合うように形成されている。飛び出し防止部材３２は、この外周面が平面状に形成されている。このように、飛び出し防止部材３２の外周面が平面状に形成されていることから、飛び出し防止部材３２に導電路が接触しても導電路が損傷する虞がない。
【００５３】
なお、飛び出し防止部材３２の構成は、本実施例に限定されるものではない。その他、飛び出し防止部材３２は、例えば、円柱状に形成されていてもよいものとする。また、飛び出し防止部材３２は、合成樹脂材料以外の材料（例えば、金属材料等）にて一体的に形成されていてもよいものとする。さらに、飛び出し防止部材３２は、板材で構成された箱状に形成されていてもよいものとする。
【００５４】
飛び出し防止部材３２には、図４に図示するように、この軸方向に沿って挿通孔３５が貫通形成されている。挿通孔３５は、この中心軸が内側板部１６の挿通孔３６と外側板部１７の挿通孔３７それぞれの中心と同軸となるように形成されている。
【００５５】
第一固定部材３３は、図３に図示するように、ボルト状の部材である。第一固定部材３３は、図３に図示するように、頭部３８と、ネジ部３９とを備えている。頭部３８は、図３に図示するように、第一固定部材３３の軸方向の一端に形成されている。ネジ部３９は、図３に図示するように、この外周面がネジ状に形成されている。ネジ部３９は、飛び出し防止部材３２の挿通孔３５と内側板部１６の挿通孔３６と外側板部１７の挿通孔３７とに挿通可能に形成されている。
【００５６】
第二固定部材３４は、図３に図示するように、ナット状の部材である。第二固定部材３４は、実施例１における固定部材２２（図１参照）と同一の構成及び構造を備えているため、詳細な説明を省略する。
【００５７】
つぎに、飛び出し防止手段３１の着脱作業の手順について説明する。
飛び出し防止部材３２を巻始口１３に取り付ける作業は、作業者が鍔部３（３ａ）の外側から行う。具体的には、まず、飛び出し防止部材３２を、図３に図示するように、内側板部１６と外側板部１７との間に配置する。しかる後、第一固定部材３３をネジ部３９から内側板部１６の挿通孔３６と飛び出し防止部材３２の挿通孔３５と外側板部１７の挿通孔３７とに挿通する。しかる後、ネジ部３９と第二固定部材３４とを締結し、飛び出し防止部材３２を内側板部１６と外側板部１７とに固定する。以上により、飛び出し防止部材３２の取り付け作業が完了する。
【００５８】
飛び出し防止部材３２を巻始口１３から取り外す作業は、上記飛び出し防止部材３２の取り付け作業と同様、作業者が鍔部３（３ａ）の外側から行う。具体的には、まず、ネジ部３９と第二固定部材３４との締結を解除し、飛び出し防止部材３２が内側板部１６と外側板部１７とに固定された状態を解除する。しかる後、第一固定部材３３を挿通孔３５〜３７から抜出する。以上により、飛び出し防止部材３２の取り外し作業が完了する。
【００５９】
このようなドラム３０によれば、ドラム３０に細物の導電路（例えば、細物電線、ケーブル）を巻回したとき、また、ドラム３０に太物の導電路（例えば、太物のケーブル）を巻回したとき、また、ドラム３０に導電路を巻回した後、電気試験を行うとき、実施例１と同じ作用が生じる。
【００６０】
つぎに、本実施例に係るドラム３０の効果について説明する。
以上、図３及び図４を参照しながら説明してきたように、本実施例に係るドラム３０によれば、実施例１と同様の効果を奏する。
【００６１】
この他、本発明は本発明の主旨を変えない範囲で種々変更実施可能なことは勿論である。
【符号の説明】
【００６２】
１、３０…ドラム、  ２…巻胴部、  ３…鍔部、  ３ａ…一方の鍔部、  ４…巻胴部本体、  ５…開口部、  ６…スパイダ、  ７…支柱、  ８…軸穴、  ９…外周部、  １０…環状波部、  １１…凸部、  １２…凹部、  １３…巻始口、  １４…縁部、  １４ａ…一方の縁部、  １４ｂ…他方の縁部、  １６…内側板部（板部）、  １７…外側板部（板部）、  １８、１９、３５〜３７…挿通孔、  ２０、３１…飛び出し防止手段、  ２１、３２…飛び出し防止部材、  ２２…固定部材、  ２３…頭部、  ２４、３８…軸部、  ２５、３９…ネジ部、  ３３…第一固定部材、  ３４…第二固定部材
【図１】
2019167217.tif 000003
【図２】
2019167217.tif 000004
【図３】
2019167217.tif 000005
【図４】
2019167217.tif 000006
【図５】
2019167217.tif 000007
【図６】
2019167217.tif 000008
【図７】
2019167217.tif 000009